【事件の表示】
　特許第３３７１３３５号「蛇口直結型浄水器」の請求項１ないし６に係る特許に対する特許異議の申立てについて、次のとおり決定する。
【結　論】
　訂正を認める。
　特許第３３７１３３５号の訂正後の請求項１ないし６に係る特許を維持する。
【理　由】
１．手続きの経緯
　特許第３３７１３３５号の請求項１〜６に係る発明についての出願は、平成１３年１月１８日に特許出願されたものであって、平成１４年１１月２２日にその発明について特許の設定登録がされ、その後、その特許について、異議申立人三菱レイヨン株式会社（以下、「申立人」という。）により特許異議の申立てがなされ、平成１５年１１月１９日付けで取消理由通知がなされ、その指定期間内である平成１６年２月２日付けで特許権者より訂正請求がなされ、その後、申立人に対し審尋がなされたところ、平成１６年４月１９日付けで申立人より回答書が提出されたものである。
　　　　　　　　
２．訂正の適否
（１）訂正の内容
　本件訂正の内容は、本件特許明細書を訂正請求書に添付された訂正明細書のとおりに、すなわち訂正事項ａ〜ｅのとおりに訂正しようとするものである。
訂正事項ａ：本件特許明細書の特許請求の範囲を次のとおりに訂正する。
「【請求項１】蛇口に接続されて原水を受け入れる原水流入口と、原水を浄化するろ過カ−トリッジと、浄水の流出口とを備え、かつ、蛇口に支持固定される蛇口直結型浄水器であって、ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を初期表示に戻すものであることを特徴とする蛇口直結型浄水器。
【請求項２】複数種のろ過カートリッジを装着可能であり、かつ、装着したろ過カ−トリッジの種類を表示する表示部を備えている、請求項１に記載の蛇口直結型浄水器。
【請求項３】蛇口に接続されて原水を受け入れる原水流入口と、原水を浄化するろ過カ−トリッジと、浄水の流出口とを備え、かつ、蛇口に支持固定される蛇口直結型浄水器であって、複数種のろ過カートリッジを装着可能であり、装着したろ過カ−トリッジの種類を表示する表示部と、装着したろ過カートリッジの種類に対応して表示を所定の初期表示に切り換える操作部とを備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を所定の初期表示に切り換えることを特徴とする蛇口直結型浄水器。
【請求項４】リセットボタンは回路基板に設けられ、基板ホルダはリセットボタンに対向する位置に貫通孔を有し、スイッチゴムが貫通孔を貫通するとともにリセットボタンの表面を水密的に覆っている、請求項１〜３のいずれかに記載の蛇口直結型浄水器。
【請求項５】表示部が浄水器の上部に設けられている、請求項１〜４のいずれかに記載の蛇口直結型浄水器。
【請求項６】 表示部が液晶表示器である、請求項１〜５のいずれかに記載の蛇口直結型浄水器。」
訂正事項ｂ：本件特許明細書の段落【０００５】の
「【課題を解決するための手段】
　上記課題を達成するために本発明は、蛇口に接続されて原水を受け入れる原水流入口と、原水を浄化するろ過カ−トリッジと、浄水の流出口とを備え、かつ、蛇口に支持固定される蛇口直結型浄水器であって、ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆うスイッチゴムとを有し、スイッチゴムを介してリセットボタンを浄水器外表面から押圧操作することにより表示を初期表示に戻すものである蛇口直結型浄水器を特徴とするものである。」を、
「【課題を解決するための手段】
　上記課題を達成するために本発明は、蛇口に接続されて原水を受け入れる原水流入口と、原水を浄化するろ過カ−トリッジと、浄水の流出口とを備え、かつ、蛇口に支持固定される蛇口直結型浄水器であって、ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を初期表示に戻すものである蛇口直結型浄水器を特徴とするものである。」と訂正する。
訂正事項ｃ：本件特許明細書の段落【０００７】の
「また、本発明は、蛇口に接続されて原水を受け入れる原水流入口と、原水を浄化するろ過カ−トリッジと、浄水の流出口とを備え、かつ、蛇口に支持固定される蛇口直結型浄水器であって、複数種のろ過カートリッジを装着可能であり、装着したろ過カ−トリッジの種類を表示する表示部と、装着したろ過カートリッジの種類に対応して表示を所定の初期表示に切り換える操作部とを備え、操作部は、回路基板を収納した基板ホルダ内に設けられたリセットボタンと、そのリセットボタンの表面を水密的に覆うスイッチゴムとを有し、スイッチゴムを介してリセットボタンを浄水器外表面から押圧操作することにより表示を所定の初期表示に切り換える蛇口直結型浄水器を特徴とするものである。」を、
「また、本発明は、蛇口に接続されて原水を受け入れる原水流入口と、原水を浄化するろ過カ−トリッジと、浄水の流出口とを備え、かつ、蛇口に支持固定される蛇口直結型浄水器であって、複数種のろ過カートリッジを装着可能であり、装着したろ過カ−トリッジの種類を表示する表示部と、装着したろ過カートリッジの種類に対応して表示を所定の初期表示に切り換える操作部とを備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を所定の初期表示に切り換える蛇口直結型浄水器を特徴とするものである。」と訂正する。
訂正事項ｄ：本件特許明細書の段落【００６１】の
「【発明の効果】
　本発明の蛇口直結型浄水器は、ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆うスイッチゴムとを有し、スイッチゴムを介してリセットボタンを浄水器外表面から押圧操作することにより表示を初期表示に戻すものであるので、使用者は、ろ過カ−トリッジが寿命に達して交換が必要であることを容易に知ることができ、適切な時期にろ過カートリッジの交換ができる。また、ろ過カ−トリッジ交換後、積算カウント数をゼロに戻す操作部が設けられているので、従来の浄水器のように、使用中のカ−トリッジの種類を確認するために浄水器から取り出したときに積算使用流量が自動的にリセットされて交換時期が適切に表示されないという問題は生じず、確実にろ過カ−トリッジの交換時期表示を行うことができる。さらに、蛇口直結型においては、操作部に水がかかったり、使用者が、水がついたままの手で操作部を操作することも考えられるが、操作部に防水加工を施しているので、水の浸入を確実に防止でき、回路基板などの電装部に水が侵入し誤作動することもない。」を、
「【発明の効果】
　本発明の蛇口直結型浄水器は、ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を初期表示に戻すものであるので、使用者は、ろ過カ−トリッジが寿命に達して交換が必要であることを容易に知ることができ、適切な時期にろ過カートリッジの交換ができる。また、ろ過カ−トリッジ交換後、積算カウント数をゼロに戻す操作部が設けられているので、従来の浄水器のように、使用中のカ−トリッジの種類を確認するために浄水器から取り出したときに積算使用流量が自動的にリセットされて交換時期が適切に表示されないという問題は生じず、確実にろ過カ−トリッジの交換時期表示を行うことができる。さらに、蛇口直結型においては、操作部に水がかかったり、使用者が、水がついたままの手で操作部を操作することも考えられるが、操作部に防水加工を施しているので、水の浸入を確実に防止でき、回路基板などの電装部に水が侵入し誤作動することもない。」と訂正する。
訂正事項ｅ：本件特許明細書の段落【００６２】の
「また、複数種のろ過カートリッジを装着可能であり、装着したろ過カ−トリッジの種類を表示する表示部と、装着したろ過カートリッジの種類に対応して表示を所定の初期表示に切り換える操作部とを備え、操作部は、回路基板を収納した基板ホルダ内に設けられたリセットボタンと、そのリセットボタンの表面を水密的に覆うスイッチゴムとを有し、スイッチゴムを介してリセットボタンを浄水器外表面から押圧操作することにより表示を所定の初期表示に切り換える本発明の蛇口直結型浄水器においては、使用者は、浄水器からカートリッジを取り出すことなくカートリッジの種類を容易に確認でき、次のカートリッジを購入する際に他の販売品と間違うことなく選択できる。また、ろ過カートリッジ交換後、表示を所定の初期表示に切り換える操作部が設けられているので、従来の浄水器のように、使用中のカ−トリッジの種類を確認するために浄水器から取り出したときにデータが自動的にリセットされて適切な表示が行われないという問題は生じず、確実にカ−トリッジ種類などの表示を行うことができる。さらに、たとえば寿命などが異なるろ過カートリッジを装着しても、その装着したろ過カートリッジに合うように使用者が初期設定をでき、寿命表示など適切に行うことができ、使用者は適切な時期にろ過カートリッジの交換をすることもできる。さらにまた、蛇口直結型においては、操作部に水がかかったり、使用者が、水がついたままの手で操作部を操作することも考えられるが、操作部に防水加工を施しているので、水の浸入を確実に防止でき、回路基板などの電装部に水が侵入し誤作動することもない。」を、
「また、複数種のろ過カートリッジを装着可能であり、装着したろ過カ−トリッジの種類を表示する表示部と、装着したろ過カートリッジの種類に対応して表示を所定の初期表示に切り換える操作部とを備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を所定の初期表示に切り換える本発明の蛇口直結型浄水器においては、使用者は、浄水器からカートリッジを取り出すことなくカートリッジの種類を容易に確認でき、次のカートリッジを購入する際に他の販売品と間違うことなく選択できる。また、ろ過カートリッジ交換後、表示を所定の初期表示に切り換える操作部が設けられているので、従来の浄水器のように、使用中のカ−トリッジの種類を確認するために浄水器から取り出したときにデータが自動的にリセットされて適切な表示が行われないという問題は生じず、確実にカ−トリッジ種類などの表示を行うことができる。さらに、たとえば寿命などが異なるろ過カートリッジを装着しても、その装着したろ過カートリッジに合うように使用者が初期設定をでき、寿命表示など適切に行うことができ、使用者は適切な時期にろ過カートリッジの交換をすることもできる。さらにまた、蛇口直結型においては、操作部に水がかかったり、使用者が、水がついたままの手で操作部を操作することも考えられるが、操作部に防水加工を施しているので、水の浸入を確実に防止でき、回路基板などの電装部に水が侵入し誤作動することもない。」と訂正する。
（２）訂正の目的の適否、新規事項の有無及び特許請求の範囲の拡張又は変更の存否
　上記訂正事項ａは、請求項１及び請求項３の「スイッチゴム」について「周縁部が基板ホルダと他の部材とで挟持されたスイッチゴム」と限定するものであるから、特許請求の範囲の減縮を目的とする訂正に該当する。そして、訂正事項ａは、本件の願書に添付した明細書又は図面における段落【００４４】〜【００４６】の記載及び図１５に基づくものであるから、願書に添付した明細書又は図面に記載された事項の範囲内の訂正であり、新規事項の追加に該当せず、また、実質上特許請求の範囲を拡張し又は変更するものではない。
　なお、この訂正事項ａに関して、申立人は回答書第２頁１２行〜第３頁１１行において概ね「図１５において、リセットボタン１５４を押すための断面視概略十字型の押圧部材（異議申立人が名付けた）がスイッチ１５６と基板ホルダ１５２との間に描かれて」いるとして「他の部材は上記押圧部材だけではなく、例えばリング状の板材等、スイッチゴム１５６と連動してリセットボタン１５４を押圧する機能または構成を有さない部材も広く含むことになり、『周縁部が基板ホルダと他の部材とで挟持された』なる訂正事項は、最初の明細書又は図面に記載した事項ではなく新規事項の追加に相当」し、また、「スイッチゴムの構成の限定を行ったものではなく特許請求の範囲の変更に相当する」旨を主張している。しかしながら、図１５に示されたものは、上記の「断面視概略十字型の押圧部材」にスイッチゴムを表示する数字１５６の引出線が付されていることからみて、この「断面視概略十字型の押圧部材」そのものが「スイッチゴム」であり、また、該スイッチゴム１５６の断面視概略十字型における断面視水平部の外側部を下方の基板ホルダ１５２と、部材を示すための数字が付されていない上方の他の部材で挟持されていることは明らかであるから、スイッチと断面視概略十字型の押圧部材を別体とする申立人の主張はいずれも的を得たものではなく採用することはできない。
　また、訂正事項ｂ〜ｅは、訂正事項ａと整合を図るとともに、特許請求の範囲の記載と整合を図るものであるから、明りょうでない記載の釈明を目的とする訂正に該当する。そして、訂正事項ｂ〜ｅは、訂正事項ａで見たとおり、願書に添付した明細書又は図面に記載された事項の範囲内の訂正であり、新規事項の追加に該当せず、また、実質上特許請求の範囲を拡張し又は変更するものではない。
（３）むすび
　以上のとおりであるから、上記訂正は、特許法第１２０条の４第２項及び第３項において準用する特許法第１２６条第２項から第４項までの規定に適合するので、当該訂正を認める。
　　　　
３．特許異議の申立てについて
３−１．本件発明
　上記のとおり、訂正は認められるから、訂正後の本件請求項１〜６に係る発明（以下、それぞれ「本件発明１」〜「本件発明６」という。）は、訂正明細書の特許請求の範囲の請求項１〜６に記載された次のとおりのものである。
【請求項１】蛇口に接続されて原水を受け入れる原水流入口と、原水を浄化するろ過カ−トリッジと、浄水の流出口とを備え、かつ、蛇口に支持固定される蛇口直結型浄水器であって、ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を初期表示に戻すものであることを特徴とする蛇口直結型浄水器。
【請求項２】複数種のろ過カートリッジを装着可能であり、かつ、装着したろ過カ−トリッジの種類を表示する表示部を備えている、請求項１に記載の蛇口直結型浄水器。
【請求項３】蛇口に接続されて原水を受け入れる原水流入口と、原水を浄化するろ過カ−トリッジと、浄水の流出口とを備え、かつ、蛇口に支持固定される蛇口直結型浄水器であって、複数種のろ過カートリッジを装着可能であり、装着したろ過カ−トリッジの種類を表示する表示部と、装着したろ過カートリッジの種類に対応して表示を所定の初期表示に切り換える操作部とを備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を所定の初期表示に切り換えることを特徴とする蛇口直結型浄水器。
【請求項４】リセットボタンは回路基板に設けられ、基板ホルダはリセットボタンに対向する位置に貫通孔を有し、スイッチゴムが貫通孔を貫通するとともにリセットボタンの表面を水密的に覆っている、請求項１〜３のいずれかに記載の蛇口直結型浄水器。
【請求項５】表示部が浄水器の上部に設けられている、請求項１〜４のいずれかに記載の蛇口直結型浄水器。
【請求項６】 表示部が液晶表示器である、請求項１〜５のいずれかに記載の蛇口直結型浄水器。
　　　　　　　　
３−２．取消理由通知の概要
　訂正前の請求項１に係る発明は刊行物１〜３に記載された発明に基づいてまた、訂正前の請求項２、３に係る発明は刊行物１〜５に記載された発明に基づいて、また、訂正前の請求項４、５、６に係る発明は刊行物１〜６に記載された発明に基づいて、当業者が容易に発明をすることができたものであるから、訂正前の請求項１〜６に係る発明の特許は特許法第２９条第２項の規定に違反してなされたものであるから、取り消されるべきものである。
３−３．刊行物の記載内容
（１）刊行物１：特開２０００−３３３６７号公報（申立人が提示した甲第１号証）
（ア）「【発明が解決しようとする課題】このように、従来の浄水器は、通水停止時にあっても流量センサ１０が消費電流を生じているために電源部１４の電池の消耗が早く、電池の交換頻度が多くなっていた。」（段落【００２３】）
（イ）「また、カートリッジが目詰まりしていくに従って、通水を停止してから圧力センサ８が動作を停止までの時間が必要以上に長くなり、吐出管１１より浄水が吐出していないにもかかわらず通水報知ランプ１３ａが点滅してしまい使用者に通水時と誤報していた。」（段落【００２４】）
（ウ）「そこで、本発明は、電池の交換頻度を少なくすることのできる浄水器を提供することを目的とする。また、本発明は、目詰まりしたカートリッジでの通水停止時に、使用者にその旨を速やかに報知することのできる浄水器を提供することを目的とする。」（段落【００２５】〜【００２６】）
（エ）「水道水などの原水の水栓１には、原水の流路を２方向に切り換える切換弁２が取り付けられている。また、切換弁２には、原水吐出口３および給水ホース４が並列に接続されている。そして、給水ホース４には浄水器本体５が接続されている。したがって、水栓１からの原水は、切換弁２の弁位置を切り換えることにより、原水吐出口３から吐出され、または給水ホース４を通って浄水器本体５へと導入される。」（段落【００３５】）
（オ）「浄水器本体５には、第１の通水路６、浄水部７、第２の通水路９、流量センサ１０および吐出管１１が、水の流動方向に沿って設置されている。また、浄水器本体５の表面には、使用者へ浄水器本体５の使用状態を報知する報知用ランプおよび積算流量カウントの初期化用スイッチを備えた操作表示部１３が設けられている。」（段落【００３６】）
（カ）「給水ホース４と接続された第１の通水路６には、導入された原水の水圧を測定する圧力センサ８が取り付けられている。また、浄水部７の内部には、原水中の残留塩素を吸収する活性炭、および一般細菌や不純物を取り除く中空紙膜が備えられており、原水はこの浄水部７を通過することで残留塩素、一般細菌および不純物が除去されて浄水とされる。流量センサ１０は、浄水部７から流出した浄水の流量に対応するパルス数を発生して流量を検出する。そして、吐出管１１は、浄水部７で製造された浄水を外部に吐出する。」（段落【００３７】）
（キ）「圧力センサ８には、この圧力センサ８から動作信号を受けると動作を開始し、流量センサ１０に検出された浄水の流量に基づいて浄水部７内のカートリッジ（図示せず）の交換時期を検出する積算流量をカウントするとともに操作表示部１３の制御を行う制御手段１２、および制御手段１２に直流電圧電流を供給するための電源部１４が電気的に接続されている。」（段落【００３８】）
（ク）「操作表示部１３には、原水が浄水器本体５に通水されて浄水されるときに点滅する通水報知ランプ（通水報知手段）１３ａ、電源部１４の電池が交換を必要とする電圧まで低下したときに点滅する電池交換報知ランプ１３ｂ、浄水部７内のカートリッジの交換時期に点滅するカートリッジ交換報知ランプ１３ｃ、および浄水部７内のカートリッジの交換時期を検出するための積算流量カウントを初期化するためのリセットスイッチ１３ｄが設けられている。」（段落【００４１】）
（ケ）「また、浄水部７内のカートリッジの交換時期である交換流量値があらかじめ記憶されているので、積算流量のカウント値が交換流量値以上なった場合、操作表示部１３に設けられたカートリッジ交換報知ランプ１３ｃが点滅して使用者にカートリッジの交換時期であることが報知される。」（段落【００４７】）
（コ）「また、操作表示部１３に設けられたリセットスイッチ１３ｄを押すことで、積算流量カウント値を初期化することができる。」（段落【００５５】）
（サ）【図１】（第６頁）には、本発明の一実施の形態における浄水器の構造を示す概略図が示され、「水栓１に切換弁２が取り付けられ、また、切換弁２に原水吐出口３および給水ホース４が並列に接続され、そして、給水ホース４に、第１の通水路６を介して浄水器本体５が接続され、さらに、第２の通水路９を介して吐出管１１が接続されているとともに、操作表示部１３とと制御手段１２が接続し、操作表示部１３に通水報知ランプ１３ａ、電池交換報知ランプ１３ｂ、カートリッジ交換ランプ１３ｃ、リセットスイッチ１３ｄが設けられている」ことや、浄水器が従来と同様据え置き型の浄水器であることが窺える。
（２）刊行物２：特許第３１１８８００号公報（申立人が提示した甲第２号証）
（ア）「本発明は、たとえば時計のスイッチなどの操作部やトリップカウンタなどの操作軸などの操作部をケースの外部から操作可能に設けられた押圧操作装置に関するものである。」（第１頁右欄１２〜末行、段落【０００１】）
（イ）「前記押圧操作装置は、使用条件によっては雨水などに晒される箇所に設置されることもあり、前面カバーａの操作孔ｃと防塵部材ｄの取付部ｅとの間から水などが浸入しないように接着剤ｇなどを塗布することによって密封しなければならず組み付け作業性において厄介であるという問題があり、時として接着剤ｇが剥離することによって、前面カバーａの操作孔ｃと防塵部材ｄとの間にて水密に保てなくなることがある。」（第２頁左欄１５〜２３行、段落【０００４】）
（ウ）「図１から図３は本発明の第１実施例を示すもので、オートバイのメータなどを収容するケース１内にプリント基板２が配設され、このプリント基板２に液晶などからなる表示器３や図示しない回路部品などが組み付けられており、このプリント基板２にはさらに前記表示器３の表示切り替え、表示器３の表示値の修正などを行う操作部となるスイッチ４が組み付けられている。またこの操作部となるスイッチ４と対向する前記上側のケース１部分には操作孔部Ｈが設けられ、この操作孔部Ｈに前記スイッチ４を作動するための合成ゴムなどの弾性伸縮可能な防塵部材Ｅが挿入配置されている。」（第２頁右欄２９〜４１行、段落【０００８】〜【０００９】）
（エ）「前記防塵部材Ｅには、前記操作孔部Ｈに嵌め込まれ外部から操作可能な押圧操作部９が設けられており、この押圧操作部９の押圧底部１０を前記ケース１内の操作部となるスイッチ４に向けて配設し」（第２頁右欄末行〜第３頁左欄３行、段落【００１１】）
（オ）「前記立ち上がり周壁部８に加えて、防塵部材Ｅに設けた被覆部１２により立ち上がり周壁部８を覆うことによって、さらに外部側から直接的に浸入しようとする水を遮断することができる」（第３頁左欄２９〜３２行、段落【００１５】）
（カ）「本発明の構成からなる押圧操作装置では防水性を維持することができるとともに、防塵部材の組み付け作業性を考慮しつつ取付強度をも良好に保つことができる。」（第３頁左欄４１〜４５行、段落【００１６】）
（キ）【図１】、【図２】（第４頁）に「操作部となるスイッチ４と対向する上側のケース１部分に設けられた操作孔部Ｈにスイッチ４を作動するためにケース１の周壁部５、底壁部６、内周立ち上がり壁部７、立ち上がり周壁部８に係合する凹凸を有する防塵部材Ｅが挿入配置されている」ことが示されている。
（３）刊行物３：特開２０００−３０８８８１号公報（申立人が提示した甲第３号証）
（ア）「本発明は・・・比較的簡単な機械的構造により積算流量計の帰零動作をろ過部の交換時に自動的に行い、さらに交換前後において積算流量計の表示状態が正確な構造とした浄水器を提供するものである。」（第３頁右欄１０〜１４行、段落【０００１】）
（イ）「本発明の浄水器は原水をそのまま吐水する原水流路と原水をろ過して吐水する浄水路のいずれかに選択的に接続する水スイッチ１と、原水の不純物等を除去する活性炭やセラミック等のろ材や樹脂膜等を備えた浄水カートリッジ２と、浄水カートリッジ２を通過する水量を測定、表示する積算流量計３と、原水を吐水する原水吐水口２２と、浄水を吐水する浄水吐水口２０とにより構成され、浄水カートリッジ２は積算流量計３と脱着可能である。」（第５頁右欄１〜９行、段落【００１９】）
（ウ）「 図７は本発明の実施の形態における浄水器の積算流量計の帰零に関する概略側面断面図であり、これを用いて以下帰零手段について説明する。ケーシング８は積算流量計３を通った水を吐水する浄水吐水口２０（図４に示す）および一部に表示部７の状態を確認できる表示窓２１を備え、表示窓２１は表示部７を確認できる透明な材料で構成されており」（第６頁左欄２８〜３４行、段落【００２４】）
（エ）「浄水カートリッジ２の交換時期を表示するに当たり、例えば浄水カートリッジ２の寿命を４０００リットルとし通常毎分２リットルの浄水を使用する場合、羽根車５の回転数を毎分７００回転に調整すると、羽根歯車５ａと７枚の歯車６と表示歯車７ａによる減速比を２８０万分の１と構成することで表示部７は浄水カートリッジ２の寿命時までに半周することとなる。そのため表示部７の表面には半周後には寿命表示とそれ以後には過寿命であることを表示するとよい。また浄水カートリッジ２が数種類存在する場合などは、それぞれの浄水カートリッジ２の寿命に応じた複数の表示を表示部７の表面に施すことでよい。」（第６頁右欄２３〜３４行、段落【００２９】）
（オ）「水道水から給水された原水は水スイッチ１によって原水として吐出する場合と浄水カートリッジ２へ送られる場合とに分けられる。原水として吐出する場合はレバー１２を原水に合わせることで、水スイッチ１より入った原水は本体を通り、原水吐水口２２より吐出される。浄水カートリッジ２に送る場合は、レバー１２を浄水に合わせることで、水スイッチ１を通過した原水は連結管１１の原水通路１１ａを通って浄水カートリッジ２へ送られる。浄水カートリッジ２においては浄水カートリッジ２中の活性炭やセラミック等のろ材や樹脂膜等によって、サビや濁り、水道水中の残留塩素等を除去され、浄水カートリッジ吐出口２ａより浄水として吐出される。吐出された浄水はスライド部４のスライド部通路４ｂ、浄水通路１１ｂを通過し積算流量計３を通って浄水吐水口２０より吐水される。」（第６頁右欄３９行〜第７頁左欄３行、段落【００３１】）
（カ）「この構成による浄水器において、浄水カートリッジ２の取外し動作時には浄水カートリッジ２の動作に伴ってスライド部４がスプリングバー４ｃをスプリング９の復元力により浄水カートリッジ２方向へ移動する。スライド部４に収納された表示部７も同様に移動するが、表示歯車７ａと最終歯車６ｃが噛合っている間は表示歯車７ａは最終歯車６ｃに沿って回転を行い、噛合いが外れた後はそのまま帰零リブ２３まで移動を行い帰零リブ２３にて帰零動作を行われる。」（第８頁左欄１８〜２６行、段落【００４３】）
（キ）【図１】、【図２】（第１２頁）に「浄水カートリッジを装着使用する型の浄水器がが水道の蛇口に取り付けられる」ことが窺える。
（ク）【図７】（第１２頁）に「表示部７が浄水器本体部の上部に設けられ、表示窓２１で覆われている」ことが示されている。
（４）刊行物４：特開平１１−６５６号公報（申立人が提示した甲第４号証）
（ア）「本発明は、・・・異種の濾過カートリッジに交換した際にも、新たな浄水器を購入することなく、該濾過カートリッジの交換時期を検出できる浄水器を提供することを目的とする。」（第２頁右欄１７〜２１行、段落【０００７】）
（イ）「浄水器１は、蛇口２に固定される浄水器本体３と、該浄水器本体３に着脱自在に取り付けられる濾過カートリッジ４とを備えた構成とされるものである。」（第３頁左欄９〜１２行、段落【００１２】）
（ウ）「濾過部１５の下流側には、該濾過部１５で濾過された浄水が集水される集水部１８が形成され、集水部１８には一端が集水部１８に開口して、他端が外部に開口する吐出口２０とされる吐出路２１が形成されている。」（第３頁左欄３３〜３７行、段落【００１５】）
（エ）「濾材寿命設定回路３３は、識別用演算回路３２が処理した結果に基づいて濾過カートリッジ４が、小容量か大容量を識別すると共に、そのときの濾過カートリッジ４の寿命到達積算流量を基準寿命到達積算流量として設定するものである。」（第３頁右欄１７〜２２行、段落【００１９】）
（オ）「この積算流量記憶回路４１は、濾過カートリッジ４が交換されて濾材寿命設定回路３３に該濾過カートリッジ４の寿命到達積算流量が設定されたときに初期化されるものである。」（第３頁右欄４０〜４３行、段落【００２２】）
（カ）「濾材寿命設定回路３３は、濾材比較回路３７から送られた比較結果により、濾過カートリッジ４を小容量のものと識別し、あらかじめ記憶している小容量用の寿命到達積算流量を取付けられた濾過カートリッジ４の基準寿命到達積算流量として設定すると共に、寿命検知回路２８の積算流量記憶回路４１に記憶されている積算流量値を初期化する。」（第４頁左欄１３〜１９行、【００２５】）
（キ）「表示回路３０は、寿命比較回路３９からの信号に基づいて、使用者に対してＬＥＤ表示により濾過カートリッジ４の交換時期が到来した旨の表示をする。」（第４頁右欄６〜９行、段落【００３０】）
（ク）「本実施の形態の浄水器によれば、異種の濾過カートリッジ４に交換しても識別回路２９により自動的にその寿命到達積算流量を設定できる。また、表示回路３０により、濾過カートリッジ４の交換時期の到来を知ることができる。」（第４頁右欄１９〜２３行、段落【００３２】）
（ケ）「濾過カートリッジが寿命に達したことをＬＥＤ表示する構成としたが、例えば、ＬＥＤに代えて、ブザー、液晶ディスプレイ等により使用者に報知する構成であってもよい。」（第４頁右欄４３〜４６行、段落【００３５】）
（コ）【図３】（第５頁）に「水道の蛇口に浄水器本体３が固定されている濾過カートリッジを装着使用する型の浄水器」が示されている。
（５）刊行物５：特開平１０−９０７８０号公報（申立人が提示した甲第５号証）
（ア）「本発明は、自己推進型カートリッジフィルムの使用が可能なカメラにおけるカートリッジ情報表示装置に関する。」（第２頁左欄３４〜３６行、段落【０００１】）
（イ）「【請求項１】自己推進式のフィルムカートリッジを装填可能なカメラであって、前記フィルムカートリッジがカメラに装填され、ローディング手段が前記フィルムカートリッジのフィルムをローディングしている間は、前記フィルムカートリッジからフィルムカートリッジ情報を読み込んでその情報を表示する表示手段を備えたこと、を特徴とするカメラのフィルムカートリッジ情報表示装置。」（【特許請求の範囲】）
（ウ）「【請求項４】請求項１から３のいずれか一項において、前記フィルムカートリッジ情報は、カートリッジの有無、最大撮影コマ数、フィルムの種類、露光状態、ＩＳＯ感度を含むことを特徴とするカメラのフィルムカートリッジ情報表示装置。」（【特許請求の範囲】）
（エ）「自己推進式フィルムカートリッジを使用するカメラは、カートリッジをカートリッジ室に装填した状態で、カートリッジの表面をカメラ外から見ることができない。そのため、カメラに装填されたフィルム情報を、未撮影時、撮影中に何らかの表示手段によって表示することが望まれていた。」（第２頁右欄１〜６行、段落【０００３】）
（エ）「図６には、ＬＣＤパネル５１の表示素子を全て点灯状態で示してある。符号５３は、電源オフ時には、撮影可能枚数（または撮影済み枚数）または最大撮影コマ数を表示し、電源オン時には撮影可能枚数（または撮影済み枚数）を表示するコマ数表示部、符号５４は、装填されたカートリッジの最大撮影コマ数表示である旨を識別するＥＸマーク、符号５５はカートリッジが装填されていることを表示するカートリッジマーク、符号５６はＩＳＯ感度の表示である旨を識別するＩＳＯマーク、符号５７はズーム操作レバー３７の操作により変更／操作可能であること（本実施例ではデート情報、タイト情報の変更が可能であること）を示すズーム操作レバーマーク、符号５８、５９、６０は、デート、あるいはＩＳＯ感度を表示するデータ表示部、符号６１、６２はメッセージの書き込みを表示する書き込みマーク（鉛筆マーク）およびメッセージの言語切替可能状態を表示する言語マークである。符号６３は遠景撮影モードを表示する遠景撮影マーク、符号６４はセルフタイマーモードを表示するセルフタイマーマーク、符号６５はリモコンモードを表示するリモコンマーク、符号６６は電池消耗を表示する電池消耗マーク、符号６７は、ストロボを発光させるストロボ発光マーク、符号６８は、ストロボ発光マーク６７と共に点灯してストロボ発光禁止を表示する発光禁止マークである。」（第３頁右欄１〜２４行）
（オ）「 図７には、このカメラにフィルムカートリッジを装填したときの、ローディング時にフィルムカートリッジからフィルムカートリッジ情報を読み込んだ場合、および電源オフで外部操作がなされた場合における、フィルムカートリッジ情報表示の一例を示している。この実施例ではローディングの間、コマ数表示部５３に最大撮影コマ数が「４０」であることが表示され、最大撮影コマ数表示である旨のＥＸマーク５４が点灯し、フィルムカートリッジマーク５５にフィルムカートリッジが装填されている旨が表示され、データ表示部５８、５９に表示されているのがＩＳＯ感度であることを識別するＩＳＯ感度マーク５６が表示され、データ表示部５８、５９にＩＳＯ感度が２００である旨の「２００」が表示され、データ表示部６０にカラーネガである旨の「Ｃｎ」が表示されている。そしてローディングが終了すると、カメラ情報表示に切り替わる。」（第３頁２５〜４０行、段落【００１３】〜【００１４】）
（カ）「フィルムローディング時に、装填したフィルムカートリッジが何であるか、たとえば、フィルムの種別、最大撮影コマ数、ＩＳＯ感度情報を撮影者に知らせることができる。」（第４頁右欄４２〜４５行、段落【００２５】）
（キ）【図６】（第６頁）に「１つのＬＣＤパネル５１にコマ数表示部５３やデータ表示部５８〜６０等を表示する」ことが示されている。
（６）刊行物６：特開平８−４５３７７号公報（申立人が提示した甲第６号証）
（ア）「【請求項１】スイッチ取り付け用の穿孔を有する筺体と、前記筺体の穿孔周縁から内側に向けて突設されたテーパー状のリブと、外周部に設けたＵ溝が前記リブに嵌合してスイッチ全体が支持されると共に、前記筺体外からの押圧力によって内側にストロークする導電性接片が前記筺体内に向けて突設された弾性スイッチと、　前記筺体内に前記導電性接片のストローク範囲内に離間して配設され、前記導電性接片と対応する位置に接点部を有する電子回路基板とを具備したことを特徴とする電子体温計。」（【特許請求の範囲】）
（イ）「同図において、１は本体ケースである。この本体ケース１は、樹脂材料などで形成されている。この本体ケース１には、弾性スイッチ２を取り付けるための穿孔３が設けられている。この穿孔３には、その周縁から内側に向けてリブ４が設けられている。」（第３頁右欄１〜５行）
（ウ）「この弾性体スイッチ２には、その外周部にリブ４を圧入するためのＵ字溝７が設けられ、またその中央部には本体ケース１内に向けて導電性の接片部８が突設されている。」（第３頁右欄１１〜１４行）
（エ）「この弾性体スイッチ２のＵ字溝７と本体ケース１のリブ４とは、シリコングリスなどの高粘度潤滑剤を塗布した後、嵌合されている。これにより弾性体スイッチ２全体が本体ケース１のリブ４によって支持されている。」（第３頁右欄１８〜２２行）
（オ）「本体ケース１と弾性スイッチ２とが外部に対して完全な防水構造となっている。
またこの本体ケース１内には、電子回路基板１０が取り付けられている。この電子回路基板１０には、弾性体スイッチ２の接片部８と対応する位置に所定距離だけ離間して接点部１１が設けられているほか、測温演算回路、表示制御回路および電源制御回路などが実装されている。この電子回路基板１０の接点部１１と弾性体スイッチ２の接片部８との離間距離（所定距離）は、導電体スイッチ２の中央部が、スイッチオンのために押圧されない状態（通常状態）で、接片部８と接点部１１とが非接触状態を維持可能な距離であり、かつ導電体スイッチ２の中央部が弾性変形する接片部８のストローク範囲内である。」（第３頁右欄３２〜４５行）
（カ）【図１】（第５頁）に「弾性体スイッチ２のＵ字溝７と本体ケース１のリブ４が嵌合するもの」が示されている。
３−４．対比・判断
３−４−１．本件発明１について
　刊行物１には、記載事項エに「水道水などの原水の水栓には、原水の流路を２方向に切り換える切換弁が取り付けられ」、また、「切換弁には、原水吐出口および給水ホースが並列に接続されて、給水ホースには浄水器本体が接続され」、「水栓からの原水は、切換弁の弁位置を切り換えることにより、給水ホースを通って浄水器本体へと導入される」ことが、また、記載事項カに「吐出管は、浄水部で製造された浄水を外部に吐出する」ことが記載されている。また、記載事項オによれば「浄水器本体には、第１の通水路、浄水部、第２の通水路、流量センサおよび吐出管が、水の流動方向に沿って設置され、浄水器本体の表面には、使用者へ浄水器本体の使用状態を報知する報知用ランプおよび積算流量カウントの初期化用スイッチを備えた操作表示部が設けられる」ことが記載され、この表示部に関し、記載事項クには「操作表示部には、原水が浄水器本体に通水されて浄水されるときに点滅する通水報知ランプ（通水報知手段）、電源部の電池が交換を必要とする電圧まで低下したときに点滅する電池交換報知ランプ、浄水部内のカートリッジの交換時期に点滅するカートリッジ交換報知ランプ、および浄水部内のカートリッジの交換時期を検出するための積算流量カウントを初期化するためのリセットスイッチが設けられている」ことが記載されている。また、記載事項サによると、浄水器は従来と同様据え置き型の浄水器であるといえる。
　これらの記載を本件発明１に則して記載すると、刊行物１には、「給水ホースを通って浄水器本体へと導入され、浄水部に原水を浄化するカ−トリッジを備え、浄水を流出する吐出管を有する浄水器であって、浄水器本体の表面には、原水が浄水器本体に通水されて浄水されるときに点滅する通水報知ランプ、電源部の電池が交換を必要とする電圧まで低下したときに点滅する電池交換報知ランプ、浄水部内のカートリッジの交換時期に点滅するカートリッジ交換報知ランプ、および浄水部内のカートリッジの交換時期を検出するための積算流量カウントを初期化するためのリセットスイッチが設けられた据え置き型浄水器」の発明（以下、「刊行１発明」という。）が記載されている。
　そこで、本件発明１と刊行１発明を対比すると、刊行１発明の「カートリッジ」及び「操作表示部」が、それぞれ、本件発明１の「ろ過カートリッジ」及び「表示部」に相当し、引用１発明の「給水ホースを通って浄水器本体へと導入され」「浄水を流出する吐出管」の記載からみれば、引用１発明の浄水器において「給水ホースと浄水器本体との接続部は原水の流入口」があり、また「吐出管の先端は浄水の流出口」となっていることは自明であり、また、刊行１発明の「表示を初期化する」と本件発明１の「表示を初期表示に戻す」とは実質的に同じ意味であることからみて、両者は、「原水を受け入れる原水流入口、原水を浄化するろ過カ−トリッジと、浄水の流出口とを備えた浄水器であって、ろ過カ−トリッジの交換時期を表示する表示部と、回路基板を収納した基板ホルダ内にリセットボタンを有し、リセットボタンを浄水器外表面から押圧操作することにより表示を初期表示に戻すものであることを特徴とする浄水器」で一致し、以下の点で相違している。
相違点ａ：本件発明１では「蛇口直結型浄水器」であるのに対して、刊行１発明では「据え置き型浄水器」である点
相違点ｂ：本件発明１では、「表示を初期表示に戻す操作部を備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作するもの」であるのに対し、刊行１発明では「リセットボタンを浄水器外表面から押圧操作するもの」であるが、リセットボタンの具体的な構成が不明である点
　そこで、上記相違点について他の証拠に基づいて検討すると、
　刊行物２には、記載事項イ〜キからみて「プリント基板に表示器の表示切り替え、表示器の表示値の修正などを行う操作部となるスイッチが組み付けてあり、また、スイッチと対向する上側のケースには操作孔部が設けられ、この操作孔部にはスイッチを作動するための合成ゴムなどの弾性伸縮可能な防塵部材が挿入配置され、該防塵部材には押圧操作部が設けられる」ことが記載されているものの、刊行物２は、記載事項アに記載されるとおり「時計のスイッチなどの操作部やトリップカウンタなどの操作軸などの操作部をケースの外部から操作可能に設けられた押圧操作装置」に関する文献であって、本件発明１の「浄水器」とは技術分野が異なるものであり、また、本件発明１の「スイッチゴム」に相当する「防塵部材」が複数の部材によって挟持されて設けられるものでない。してみると、刊行物２には、相違点ａ、ｂに係る本件発明１の構成が記載されているとはいえない。
　また、刊行物３には、特に記載事項カ、キからみて「蛇口直結型浄水器」であって、リセット動作に関し「浄水カートリッジの取外し動作時には浄水カートリッジの動作に伴ってスライド部がスプリングバーをスプリングの復元力により浄水カートリッジ方向へ移動し、スライド部に収納された表示部も同様に移動するが、表示歯車と最終歯車が噛合っている間は表示歯車は最終歯車に沿って回転を行い、噛合いが外れた後はそのまま帰零リブまで移動を行い帰零リブにて帰零動作を行われる」ことが記載されているものの、このリセット動作は機械的に自動化しようとするものであり、本件発明１のように、スイッチ収納ケースの外表面からスイッチを押圧操作しようとするものでないことは明らかである。してみると、刊行物３には本件発明１の相違点ｂに係る構成は全く記載されていないといえる。
　また、刊行物４には、特に記載事項オ、カ及びコからみて、「蛇口直結型浄水器」であって、「濾過カートリッジが交換され、濾過カートリッジの寿命到達積算流量が設定されたときに寿命検知回路の積算流量記憶回路に記憶されている積算流量値が初期化される」ことが記載されているが、他の記載をみても刊行物４には本件発明１のように、スイッチ収納ケースの外表面からスイッチを押圧操作しようすることについては何ら開示されていない。してみると、刊行物得３には本件発明１の相違点ｂに係る構成は全く記載されていないといえる。
　また、刊行物５には、記載事項ア〜キからみて「自己推進式のフィルムカートリッジを装填可能なカメラにおいて、カメラにフィルムカートリッジを装填された時のローディング時に、フィルムカートリッジからフィルムカートリッジ情報を読み込んでその情報を表示すること」が記載されているが、刊行物５は「カメラ」に関するものであり、本件発明１の「浄水器」とは技術分野が異なる上に、本件発明１にあるようなリセットスイッチについては何処をみても開示はない。してみると、刊行物５には、相違点ａ、ｂに係る本件発明１の構成が記載されているとはいえない。
　また、刊行物６には、記載事項ア〜カからみて、「スイッチを本体ケースの外表面から押圧操作可能に設けた弾性体スイッチ」が記載されているものの、刊行物６に記載された発明は本件発明１の「浄水器」とは技術分野が異なる「電子体温計」に関するものであり、また、本件発明１の「スイッチゴム」に相当する「弾性体スイッチ」が複数の部材によって挟持されて設けられるものでない。してみると、刊行物６には、相違点ａ、ｂに係る本件発明１の構成が記載されているとはいえない。
　なお、申立人は、回答書第４頁１１行〜第５頁１０行において「本件発明の操作部については、甲第７号証（特開平１１−２８８６３５号公報）及び参考資料２（特開平４−３０７０６１号公報）にみられるように周知技術にすぎない」旨主張している。そこで検討すると、甲第７号証には「押圧ボタンが一体に形成された防水カバーの周縁部が上蓋と下蓋とで挟持すること」（段落【０００３】、【００１２】、【００１３】、図１）が記載され、また参考資料２には「ゴム製のボタンスイッチが防水ケースと本体ケースで挟持すること」（段落【００１２】、図２）が記載されている。しかしながら、甲第７号証及び参考資料２は、浄水器に関するものではなく、しかもリセット用のボタンスイッチではない。そうすると、仮にボタンスイッチの周縁部を複数の部材によって挟持することが知られているとしても、浄水器においてリセットボタンを採用すること、さらにその構造として基板ホルダと他の部材で挟持されたスイッチゴムで構成することが困難なく導き出せるとまではいえない。
　また、申立人は、上記の刊行物１〜６、甲第７号証及び参考資料２の他に、参考資料１：特開平９−５６３０３号公報、参考資料３：実願平３−１０４３６号（実開平４−１０２６９６号）のマイクロフィルム、参考資料４：特開平１０−１６５９４６号公報、参考資料５：特開平１１−２７６５８３号公報、参考資料６：特開平７−５１３５０号公報、参考資料７：特開平７−９３８７７号公報、参考資料８：特開平１０−１１８６４１号公報を提示しているが、これらの文献には、刊行物１〜６に開示される技術的事項以上のことが開示されているとはいえない。
　そして、本件発明１は上記相違点ａ、ｂの構成を具備することによって、確実にろ過カ−トリッジの交換時期表示を行うことができ、蛇口直結型においては、水の浸入を確実に防止でき、回路基板などの電装部に水が侵入し誤作動することもない等の本件明細書に記載の効果を奏するものである。
　してみると、本件発明１は刊行物１〜６に記載された発明に基づいて当業者が容易に発明をすることができたものであるとすることができない。
　　　
３−４−２．本件発明２について
　本件発明２は、本件発明１を引用し、本件発明１を更に限定するものであるから、上記「３−４−１．本件発明１について」でみたとおりの理由により、本件発明２は、刊行物１〜６に記載された発明に基づいて当業者が容易に発明をすることができたものであるとすることができない。
　　　　
３−４−３．本件発明３について
　本件発明３は、本件発明１の「ろ過カートリッジの交換時期を表示する表示部と、表示を初期表示に戻す操作部とを備え」及び「スイッチゴムを介してリセットボタンを浄水器外表面から押圧操作することにより表示を初期表示に戻すものである」の構成を、それぞれ、「複数種のろ過カートリッジを装着可能であり、装着してろ過カ−トリッジの種類を表示する表示部と、装着したろ過カートリッジの種類に対応して表示を所定の初期表示に切り換える操作部とを備え」及び「スイッチゴムを介してリセットボタンを浄水器外表面から押圧操作することにより表示を所定の初期表示に切り換える」とするものであり、他の構成は同じである。
　そして、刊行１発明は上記「３−４−１．本件発明１について」で述べたとおりのものであるから、本件発明３と刊行１発明を対比すると、両者は、「原水を受け入れる原水流入口、原水を浄化するろ過カ−トリッジと、浄水の流出口とを備えた浄水器であって、表示部と、回路基板を収納した基板ホルダ内にリセットボタンを有し、リセットボタンを浄水器外表面から押圧操作することにより表示を初期表示にする浄水器」で一致し、以下の点で相違している。
（ｃ）相違点ｃ：本件発明３では「蛇口直結型浄水器」であるのに対して、刊行１発明では「据え置き型浄水器」である点
（ｄ）相違点ｄ：本件発明３では「複数種のろ過カートリッジを装着可能であり、装着してろ過カ−トリッジの種類を表示する表示部と、装着したろ過カートリッジの種類に対応して表示を所定の初期表示に切り換える操作部とを備えて」いるのに対して、刊行１発明にはこうした構成を有していない点
（ｅ）相違点ｅ：本件発明３では「操作部を備え、操作部は、回路基板を収納した基板ホルダ内に設けられたリセットボタンと、そのリセットボタンの表面を水密的に覆う、周縁部が基板ホルダと他の部材とで挟持されたスイッチゴムとを有し、スイッチゴムを介してリセットボタンを浄水器外表面から押圧操作することにより表示を所定の初期表示に切り換える」のに対し、刊行１発明では「リセットボタンを浄水器外表面から押圧操作することにより表示を初期表示に戻す」のであるが、「表示を所定の初期表示に切り換える」ものではなく、リセットボタンの具体的な構成が不明である点
　そこで、上記相違点について検討すると、相違点ｃは上記した相違点ａと同じであり、また相違点ｅのうち「押圧操作することにより表示を所定の初期表示に切り換える」点については、この「切り換える」が相違点ｄに係る本件発明３の構成である「複数種のろ過カートリッジを装着可能」にする構成に伴うものであり、「複数種のろ過カートリッジに対応する初期表示に切り換える」（段落【００４７】）のであって、実質的に初期表示に戻すことを意図することは明らかであるから、相違点ｅは上記相違点ｂの全てを含むものといえる。そうすると、相違点ｃ、ｅについては、上記「３−４−１．本件発明１について」の相違点ａ、ｂでみたとおりである。
　そして、本件発明３は、これら相違点ｃ、ｅの構成を採用することにより、確実に適切な時期にろ過カートリッジの交換をすることもでき。、また、蛇口直結型においては、水の浸入を確実に防止でき、回路基板などの電装部に水が侵入し誤作動することもない等の本件明細書に記載の効果を奏するものである。
　したがって、本件発明３は、相違点ｄを検討するまでもなく、上記「３−４−１．本件発明１について」で述べた理由により、上記刊行物１〜６に記載された発明に基づいて当業者が容易に発明をすることができたものとすることができない。
３−４−４．本件発明４〜６について
　本件発明４〜６は、いずれも、本件発明１又は本件発明３を直接的又は間接的に引用し、本件発明１又は本件発明３を更に限定するものであるから、上記「３−４−１．本件発明１について」又は「３−４−３．本件発明３について」でみたとおりの理由により、本件発明４〜６は、刊行物１〜６に記載された発明に基づいて当業者が容易に発明をすることができたものであるとすることができない。
４．むすび
　以上のとおりであるから、特許異議の申立の理由及び証拠によっては、本件訂正後の請求項１〜６に係る発明についての特許を取り消すことができない。
　また、他に本件訂正後の請求項１〜６に係る発明の特許を取り消すべき理由を発見しない。
　よって、結論のとおり決定する。
【異議決定日】
平成１７年６月２７日（２００５．６．２７）
【訂正の要旨】
審決（決定）の【理由】欄参照。
（５４）【発明の名称】
蛇口直結型浄水器
（５７）【特許請求の範囲】
　【請求項１】
　蛇口に接続されて原水を受け入れる原水流入口と、原水を浄化するろ過カ−トリッジと、浄水の流出口とを備え、かつ、蛇口に支持固定される蛇口直結型浄水器であって、
　ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆う
、周縁部が基板ホルダと他の部材とで挟持された
　【請求項２】
　複数種のろ過カートリッジを装着可能であり、かつ、装着したろ過カ−トリッジの種類を表示する表示部を備えている、請求項１に記載の蛇口直結型浄水器。
　【請求項３】
　蛇口に接続されて原水を受け入れる原水流入口と、原水を浄化するろ過カ−トリッジと、浄水の流出口とを備え、かつ、蛇口に支持固定される蛇口直結型浄水器であって、
　複数種のろ過カートリッジを装着可能であり、装着したろ過カ−トリッジの種類を表示する表示部と、装着したろ過カ−トリッジの種類に対応して表示を所定の初期表示に切り換える操作部とを備え、操作部は、回路基板を収納した基板ホルダ内に設けられたリセットボタンと、そのリセットボタンの表面を水密的に覆う
、周縁部が基板ホルダと他の部材とで挟持された
　【請求項４】
　リセットボタンは回路基板に設けられ、基板ホルダはリセットボタンに対向する位置に貫通孔を有し、スイッチゴムが貫通孔を貫通するとともにリセットボタンの表面を水密的に覆っている、請求項１〜３のいずれかに記載の蛇口直結型浄水器。
　【請求項５】
　表示部が浄水器の上部に設けられている、請求項１〜４のいずれかに記載の蛇口直結型浄水器。
　【請求項６】
　表示部が液晶表示器である、請求項１〜５のいずれかに記載の蛇口直結型浄水器。
【発明の詳細な説明】
　【発明の属する技術分野】
　本発明は、ろ過カ−トリッジの寿命を表示する手段を備えた蛇口直結型浄水器に関する。
　【従来の技術】
　従来、ろ過カ−トリッジの交換を促す表示を行う浄水器としては、特開平８−１１５０号公報に記載されているような、カ−トリッジ装着後の積算使用流量が予め設定した値に達したときカ−トリッジ交換を促す表示を点灯させるものが知られている。これらの浄水器では、カ−トリッジを交換する際に、積算されたデ−タをリセットして初期状態に戻す必要があるため、リミットスイッチや磁束検出素子などを用いた検出機構を本体内に配設し、使用者が、使用中のカ−トリッジを取り外し新しいカ−トリッジを取り付けたことを検出機構で検出し、デ−タをリセットする。
　しかしながら、このような従来の浄水器においては、使用中のカ−トリッジをその種類を確認するために浄水器から取り出すと、積算使用流量などの表示が自動的にリセットされて交換時期などが適切に表示されないという問題点があった。
　【発明が解決しようとする課題】
　本発明の課題は、上述のような問題点に鑑み、積算使用流量など表示内容が不必要にリセットされることなく、カ−トリッジの交換時期を適切に表示する浄水器を提供することである。
　【課題を解決するための手段】
　上記課題を達成するために本発明は、蛇口に接続されて原水を受け入れる原水流入口と、原水を浄化するろ過カ−トリッジと、浄水の流出口とを備え、かつ、蛇口に支持固定される蛇口直結型浄水器であって、
　ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆う
、周縁部が基板ホルダと他の部材とで挟持された
　複数種のろ過カートリッジを装着可能であり、かつ、装着したろ過カ−トリッジの種類を表示する表示部を備えていることが好ましい。
　また、本発明は、蛇口に接続されて原水を受け入れる原水流入口と、原水を浄化するろ過カ−トリッジと、浄水の流出口とを備え、かつ、蛇口に支持固定される蛇口直結型浄水器であって、
　複数種のろ過カートリッジを装着可能であり、装着したろ過カ−トリッジの種類を表示する表示部と、装着したろ過カ−トリッジの種類に対応して表示を所定の初期表示に切り換える操作部とを備え、操作部は、回路基板を収納した基板ホルダ内に設けられたリセットボタンと、そのリセットボタンの表面を水密的に覆う
、周縁部が基板ホルダと他の部材とで挟持された
　これらの蛇口直結型浄水器において、リセットボタンは回路基板に設けられ、基板ホルダはリセットボタンに対向する位置に貫通孔を有し、スイッチゴムが貫通孔を貫通するとともにリセットボタンの表面を水密的に覆っていることが好ましい。また、表示部が浄水器の上部に設けられていたり、液晶表示器であることが好ましい。
　【発明の実施の形態】
　以下に、本発明の望ましい実施の形態を、図を参照しながら説明する。
　本発明の浄水器は、家庭のキッチンなどの蛇口に取り付けられ支持固定される蛇口直結型浄水器であって、図１〜図６に示すように、その内部に切換弁を内蔵した本体部２と、ろ材を収納したろ過カ−トリッジ３などから構成されている。本体部２にはレバ−５が設けられ、レバ−５を操作することにより、蛇口４から原水流入口を通って流入した原水をそのままシャワ−水として吐出するか（原水シャワ−）、そのままストレ−ト水として吐出するか（原水ストレ−ト）、ろ過カ−トリッジ３に供給するか、を選択して切り換える。ろ過カ−トリッジ３に供給された原水は、活性炭などの吸着剤や中空糸膜等によってろ過され、浄水流出口から浄水として吐出される。
　まず、本体部２について説明する。
　本体部２は、図４、図５に示すように、切換弁を構成する３個のボ−ル１１ａ、１１ｂ、１１ｃと弁軸１２とを備えた切換弁本体１３、原水シャワ−口１４と、原水ストレ−ト口１５と、浄水流出口１９とを備えた下部ボディ１６、切換弁本体１３が上面に突出する開口部を備えた上部ボディ１７、切換操作を行う弁操作部１８、ろ過カ−トリッジ３を固定するカ−トリッジキャップ９１、流量を積算して、その結果を表示する電装部などから構成されている。
　切換弁本体１３には、リング状のパッキン３６が装着され、蛇口４のおねじ部にねじ込んだアダプタ３７を介して、取付ナット３８を切換弁本体１３に螺合させ、本体部２を蛇口４に取り付け支持固定するようになっている。
　切換弁本体１３の内部は、３個の通水路２１ａ、２１ｂ、２１ｃを開設した区画板２２によって、上部室２３と下部室２４とに区画されている。
　上部室２３には、３個のボ−ル１１ａ、１１ｂ、１１ｃが、３個の通水路２１ａ、２１ｂ、２１ｃに対応するように配置されている。ボ−ル１１ａが通水路２１ａにはまり通水路２１ａが閉じた状態で、ボ−ル１１ａの下部が下部室２４に突出するようになっている。ボ−ル１１ｂ、１１ｃについても同様である。
　円筒状の下部室２４には、弁軸１２が回動可能に挿着され、かつ、弁軸１２の所定位置に配設したＯリング２５ａ、２５ｂ、２５ｃが、下部室２４の内壁面と水密的に係合している。これによって下部室２４は３つに区画され、通水路２１ａからろ過カ−トリッジ３に原水を供給する原水供給口２６（図６参照）へ通じる流路３１ａと、通水路２１ｂから原水ストレ−ト口１５へ通じる流路３１ｂと、通水路２１ｃから原水シャワ−口１４へ通じる流路３１ｃとを形成している。
　また、図４に示したように、弁軸１２には、通水路２１ａ、２１ｂ、２１ｃに対向する位置に、カム部２７ａ、２７ｂ、２７ｃが設けられている。これらカム部２７ａ、２７ｂ、２７ｃは、弁軸１２の周方向に例えば６０°ずつずらして設けられており、弁軸１２を６０°ずつ回動することにより選択的に上方を向き、下部室２４に突出したボ−ルの下部を押し上げて通水路を開くことができるようになっている。すなわち、後述の弁操作部１８により弁軸１２を所定角度回動することで、通水路２１ａ、２１ｂ、２１ｃのいずれかを開放し、蛇口４から流入した原水をそのままシャワ−水として吐出するか、そのままストレ−ト水として吐出するか、ろ過カ−トリッジ３に供給するか、を選択できる。
　ボ−ル１１ａ、１１ｂ、１１ｃには、芯体としての金属球にゴムを覆ったものを用いているが、弁体の形状は球体に限らず円錐形でも円筒形でもよく、傘形でもよい。そして、通水路を閉塞したときのシ−ル性を向上させるためは、上部室２３に設けたボ−ル１１ａ、１１ｂ、１１ｃをバネ等で上方から通水路方向に付勢してもよい。
　図６、図１０に示すように、切換弁本体１３の側部後方には、ろ過カ−トリッジ３に原水を供給する原水供給口２６と、ろ過カ−トリッジ３から浄水を受け入れる浄水受入口２９とが設けられている。原水供給口２６は流路３１ａに連通しており、浄水受入口２９は浄水送水路３０を介して浄水流出口１９と連通している。浄水送水路３０には、後述する流量検出部１０２の水車１２２と水車支持部材１２３が設けられ、浄水の通水により水車１２２が回転するようになっている。
　次に、ろ過カ−トリッジ３について簡単に説明する。
　ろ過カ−トリッジ３は、図７の横断面図に示すように、容器６１の底部に、原水供給口２６から原水を受け入れる原水受入口６２と、浄水受入口２９に浄水を供給する浄水供給口６３が設けられている。原水受入口６２と浄水供給口６３には、それぞれＯリング７３、７４が設けられ、原水供給口２６と浄水受入口２９に接続した際に外部に水が漏れるのを防止している。
　容器６１の内部底面には円筒状突起６１ａが形成されており、円筒状突起６１ａに、中空糸膜モジュールの円筒体６４の下端がＯリング６５を介して嵌入立設されている。そして、この円筒体６４の外周上下部には、円筒体６４外周面と容器６１の内壁面との間を通過する原水の処理を行う吸着剤層７０を保持するために、リング状のフィルタ６６、６７が固定されている。
　円筒体６４の内部には、複数本の中空糸膜を束ねて逆Ｕ字状に折り曲げた中空糸膜束６８が収納されている。中空糸膜の両端部は、円筒体６４の下部にて各中空糸間および中空糸と円筒体６４との間に充填された硬化性樹脂６９（封止剤）により封止固定（ポッティング）されている。各中空糸膜は、容器６１へ嵌入する前にポッティング部が一部切断除去されているので、末端が浄水供給口６３に向かって開口している。
　そして、円筒体６４の外周面と容器６１の内壁面との間には、活性炭、ゼオライト、イオン交換樹脂、キレ−ト樹脂などからなる吸着剤層７０が配備されている。
　容器６１の上部は、中空糸膜束６８と吸着剤を容易に充填できるよう開口されており、内部の汚れを確認できるように透明キャップ７１が嵌入され、超音波溶着されている。
　上記のように構成されたろ過カートリッジ３は、図６に示したように、本体部２内に装填され、カ−トリッジキャップ９１が、ろ過カ−トリッジ３に覆い被さる位置で下部ボディ１６と上部ボディ１７とにネジ締付固定され、ろ過カ−トリッジ３を所定位置に固定する役目を果たしている。カ−トリッジキャップ９１には、開閉キャップ９２が開閉可能に設けられており、開閉キャップ９２を開くと、カ−トリッジキャップの開口部９３およびろ過部の透明キャップ７１を通じて、中空糸膜の汚れ具合を確認できるようになっている。
　続いて、図３、図６を用いて、弁軸１２を回動操作する弁操作部１８について説明する。
　弁操作部１８は、図６に示すように、レバ−５と、切換弁本体１３に回動可能に支持され、レバ−５と同じ軸回りに回動する駆動軸４１と、一端が下部ボディ１６に固定され他端がレバ−５に固定されたねじりコイルバネ４４などから構成されている。レバー５は、図３に示すように矢印Ａ方向に押し下げると、操作ストッパ−４３に当接するまで反時計方向に（図６を右側面から見た場合）回動し、レバ−５が操作ストッパ−４３に当接した状態で操作をやめて指を離すと、ねじりコイルばね４４により時計方向に回動し、初期位置に戻るようになっている。
　図８は、図５におけるＣ−Ｃ矢視概略断面図であって、レバ−５と駆動軸４１の接続部を示している。図８に示すように、駆動軸４１の一端に嵌入されたラチェット爪部材４７は、レバ−５のラチェット歯４８と噛み合ってラチェット機構を構成している。レバ−５を初期位置から反時計方向（図６を右側面から見た場合）に回動させるときには、駆動軸４１はレバ−５と一体となって反時計方向に４０°回動し、レバ−５が時計方向に回動して初期位置に戻るときには、駆動軸４１は回動しないようになっている。
　図６と、図６におけるＤ−Ｄ矢視概略断面図である図９に示すように、駆動軸４１には平歯車４５が設けられ、弁軸１２に設けられた平歯車４６と噛み合っている。平歯車４５と４６のギヤ比は３：２であるので、平歯車４５が４０°回動すると平歯車４６は６０°回動する。すなわち、レバ−５を１回操作すると、駆動軸４１は４０°回動し、弁軸１２は６０°回動する。ここで、平歯車をはすば歯車ややまば歯車などにしても何ら問題はない。また、ギヤ比を３：２としたが、これに限らず２：１でも３：１でもよい。平歯車４５の歯数を平歯車４６の歯数より大きくすると、駆動軸４１の回動角度に対し弁軸１２の回動角度は大きくなる。すなわちレバ−５の操作角度を小さくしても、弁軸１２の回動角度を十分に大きくすることができる。以上のように、歯車を用いるとギヤ比を選択することで容易にレバ−操作角度を設定でき、しかも確実かつ正確に流路切換ができる。
　そして、駆動軸４１には、図５に示すように、切換状態を示す「浄水」「ストレ−ト」「シャワ−」の文字が４０°毎に各３ヶ所印刷された表示リング５１が固定されている。表示リング５１に印刷された「浄水」「ストレ−ト」「シャワ−」いずれかの文字が、上部ボディ１７の開口部８１から見えるようになっていて、切換状態が容易に確認できる。なお、切換状態を示す表示は、文字、イラスト単独でも、また、それらの組合せでもよい。そして、開口部８１に透明部材８２を取り付けることで、食器洗いのときなどに水が本体部２の内部に入るのを防いだり、表示リング５１が汚れるのを防いだりしている。
　次に、流量を積算して、その結果を表示する電装部について説明する。
　図６、図１０に示したように、電装部は、電源部１０１と、流量検出部１０２と、制御部１０４と、液晶表示器１０５などから構成されている。
　電源部１０１は、図１１の分解斜視図に示すように、主に、本体部２に設けた電池ホルダ１１５と、コイン形二酸化マンガンリチウム電池１１１（以下、電池１１１）と、陽極金具１１３および陰極金具１１４と、電池を水密に固定する脱着自在な電池カバ−１１２などから構成されている。
　電池カバ−１１２は、筒状の電池装着部１１６を有するとともにその外周にＯリング１１７を有し、電池カバ−１１２がバヨネット機構により電池ホルダ１１５に装着したときに電池装着部１１６に水が浸入するのを防ぐようになっている。筒状の電池装着部１１６には切り欠き１１８が設けられているので、指を引っかけて容易に電池を取り外すことができる。また、電池カバ−１１２の表面には、硬貨を挿入して回すための凹部１１９が設けられ、その周囲に、電池の規格と開閉のための回転方向を示す文字やイラストが刻印されている。したがって、使用者は、電池の規格と電池カバ−１１２の回転方向を確認した上で、コインを使って電池カバ−１１２を電池ホルダ１１５から取り外し、電池を交換することができる。
　電池ホルダ１１５内に設けられた陽極金具１１３および陰極金具１１４は、それぞれリ−ド線で図６に示す制御部１０４に結線されており、電池１１１による電力が制御部１０４に供給される。リ−ド線は、ゴムキャップ１２０を介して電池ホルダ１１５に固定されており、このゴムキャップ１２０が、水がリ−ド線をつたって陽極金具１１３、陰極金具１１４さらには電池装着部１１６内に浸入するのを防止している。
　電池は、一次電池でも二次電池であってもよく、比較的高い電圧で、長期間安定して電力を供給できる二酸化マンガンリチウム電池などのリチウム電池のほか、アルカリ乾電池、マンガン乾電池、酸化銀電池、空気亜鉛電池などでもよい。また、形状は、軽量で大きな設置スペ−スを必要としないボタン形、コイン形などの小形電池が好ましい。小形電池の場合、本体部が著しく大型化したり著しく重量増加することはなく、また、大幅なコストアップにもならない。
　流量検出部１０２は、図１０および図１２〜図１４に示すように、主に、磁石１２１を埋設した水車１２２と、水車１２２を回転可能に支持する水車支持部材１２３と、磁石の回転に応じて開閉する磁気スイッチ１２４と、磁気スイッチ１２４を支持固定する磁気スイッチホルダ１２５とから構成されている。
　水車１２２は、円柱形の軸部１３１に２枚の羽根１３２、１３３が形成されてなり、軸部１３１の一端には水車支持部材１２３の軸１２６が挿入される回転軸穴１３４が設けられ、他端には磁石１２１が埋設される磁石取付穴１３５が設けられている。
　磁石１２１は、そのＮ極・Ｓ極を結ぶ直線と水車１２２の回転軸とが垂直になるように磁石取付穴１３５に挿入し、脱落を防止するとともに接水による発錆を防止するために、磁石取付穴１３５の開口部に栓部材を被せ接着したり溶着する。磁石１２１の脱落および発錆を防止するためには、磁石１２１を磁石取付穴１３５に挿入した後、磁石取付穴１３５の開口部を硬化性樹脂１３６（封止材）で封止することも好ましい。硬化性樹脂としては、より安全性の高いポリウレタン樹脂が好ましいが、エポキシ樹脂や、その他の封止材、接着剤を用いてもよい。磁石１２１の錆を防止するためには、磁石そのものをコ−ティングすることも好ましい。また、磁石１２１には、磁力が強い希土類磁石のほか、フェライト磁石などを使用してもよい。
　水車１２２は、図１０に示すように、浄水送水路３０内で回転可能なように、水車支持部材１２３によって下流側から軸支されている。水車１２２は、その回転軸が浄水の送水方向に平行な軸流型であっても直交するものであってもよい。また、水車の羽根は２枚としているが、１枚でもよく、３枚以上でもよい。さらに、水車を、ろ過カ−トリッジ３の下流側の浄水送水路３０に設けたが、上流側に設けてもよい。この場合は、水車１２２にゴミ等が引っかからないよう、さらに上流側にプレフィルタを設けることが好ましい。
　磁気スイッチ１２４は、図１４に示すように、磁気スイッチホルダ１２５に挿入され、硬化性樹脂１３７（封止材）により封止固定されている。磁気スイッチ１２４の２つの端子はリ−ド線により図１０に示す制御部１０４と結線されており、磁気スイッチ１２４の開閉によるパルス信号が制御部１０４に伝達される。磁気スイッチ１２４を収容した磁気スイッチホルダ１２５は、図６に示すように、浄水送水路３０の外周に接し、かつ、水車１２２の近傍に固定されている。
　このように構成された流量検出部１０２は、浄水が流れることにより水車１２２が回転し、水車１２２に埋設された磁石１２１が回転し、それに応じて磁界が変化する。磁石１２１が１回転することにより磁気スイッチ１２４は２回開閉して、その結果、２周期分のパルス信号が発信され、制御部１０４に伝達される。
　次に、制御部１０４と液晶表示器１０５について、図６、図１５を用いて説明する。
　制御部１０４は、主に、ＣＰＵが設けられた回路基板１５１と、回路基板１５１を収納する透明の基板ホルダ１５２と、回路基板１５１を基板ホルダ１５２に支持固定する基板枠１５３とから構成されている。ＣＰＵは、電源部１０１から電力供給を受け、流量検出部１０２からのパルス信号に基づいて演算を行い、液晶表示器１０５に出力信号を送るようになっている。
　また、回路基板１５１には表示内容を初期状態に戻すための操作部が設けられている。操作部は、浄水器外表面から直接操作可能に構成され、積算流量のデ−タ等を簡単にリセットできるようになっている。すなわち、押されることで表示内容を初期状態に戻すリセットボタン１５４を回路基板１５１に浄水器外表面方向に突出するように設け、さらに、回路基板１５１への水の浸入を防ぐため、リセットボタン１５４の表面をスイッチゴム１５６で覆っている。使用者は、リセットボタン１５４を浄水器外表面からスイッチゴム１５６を介して直接押圧操作できるので、表示内容を初期表示に容易に戻すことができる。したがって、使用者が、ろ過カ−トリッジの交換表示素子１６１に促され新しいろ過カ−トリッジに交換し、リセットボタン１５４を押せば、積算カウント数がゼロに戻り、ろ過カ−トリッジ交換表示素子１６１も初期表示に戻る。
　このように、本発明の浄水器は、表示部の表示内容を初期表示に戻す操作部を設け、表示内容を意図的にリセットするようにし、自動的にはリセットされないようにしているので、リミットスイッチや磁束検出素子などを用いた検出機構を本体内に配設している従来の浄水器のように、使用中のカ−トリッジの種類を確認するために浄水器から取り出しても、積算使用流量が自動的にリセットされて交換時期が適切に表示されないという問題は生じない。また、本発明は蛇口直結型浄水器であり、操作部に水がかかったり、使用者が、水がついたままの手で操作部を操作することも考えられるが、リセットボタン１５４にスイッチゴム１５６を被覆するなど操作部に防水加工を施しているので、水の浸入を確実に防止でき、回路基板１５１が水の侵入のため誤作動することもない。
　また、リセットボタン１５４は、装着されるろ過カ−トリッジの種類に対応する初期表示に切り替えることができるように構成されている。したがって、たとえばリセットボタン１５４を３秒以上押し続けることを繰り返すことにより、装着したろ過カートリッジに対応する種類や寿命のための設定値を選択設定し、適切な表示をすることができる。
　液晶表示器１０５は、回路基板１５１に直接、支持固定された状態で、本体部２の前方上部に位置し、使用者が使用中に見やすいようになっている。この液晶表示器１０５は、回路基板から離れた位置に配置しリ−ド線等で結線することも可能だが、回路基板１５１に直接、支持固定したほうが信号を確実に伝達できる。また、外部から水が浸入して回路基板１５１が誤作動するのを防止するため、基板ホルダ１５２に、その開口部から回路基板１５１と液晶表示器１０５とを挿入し基板枠１５３で固定した状態で、開口部を硬化性樹脂１５５（封止材）で封止して防水加工をすることが好ましい。このように防水加工を施すことにより、各部品に対して個別に防水加工を施す必要がなく、製造工程の簡略化、製造コストの低減が可能になる。硬化性樹脂１５５としては、２液混合型のポリウレタン樹脂やエポキシ樹脂などを用いればよい。
　液晶表示器１０５には、図１６に示すように、枠１６７とその中に設けられた３個のブロックＡ、Ｂ、Ｃからなるろ過カ−トリッジ交換表示素子１６１と、電池交換表示素子１６２と、カ−トリッジ種類表示素子１６３とが設けられており、それらが点灯、消灯、点滅することで、カートリッジの寿命、電池の寿命、カートリッジの種類を表示する。
　続いて、以上のように構成された浄水器１の作用について説明する。
　図４は、原水が原水シャワ−口１４から吐出される状態を示している。蛇口を開くと、原水は、原水流入口２８から流入し、水流緩和部材３９でその勢いが緩和された後、カム部２７ｃがボ−ル１１ｃを押し上げて開放している通水路２１ｃを通過して、原水シャワ−口１４から吐出される。このとき、開口部８１からは表示リング５１に記された「シャワー」の文字が見える。
　ここで、図１に示すレバ−５を操作して、操作ストッパ−４３に当たるまで回動させると、図８に示すラチェット機構を介してレバ−５に接続されている駆動軸４１が４０°回動する。同時に平歯車４５から４６へ回動が伝達され、弁軸１２が正確に６０°回動する。すると、弁軸１２のカム２７ｃに替わりカム２７ｂが上方を向き、通水路２１ｃが閉じて通水路２１ｂが開く。その結果、原水は通水路２１ｃを通過して原水ストレ−ト口１５から吐出される。このとき、開口部８１からは表示リング５１に記された「ストレ−ト」の文字が見える。
　次に、レバ−５から指を離すと、ねじりコイルばね４４によりレバ−５は逆方向に回動し、初期位置に戻って停止する。このとき、ラチェット機構を介して接続された駆動軸４１は回動せず、弁軸１２も表示リング５１も回動しない。
　レバ−５をもう一度押し下げると、同様に弁軸１２が正確に６０°回動し、通水路２１ｂが閉じて通水路２１ａが開く。この結果、原水は通水路２１ａを通過して原水供給口２６に流れる。そして、図７に示す原水受入口６２からろ過カ−トリッジ３に流入し、活性炭などの吸着剤と中空糸膜によってろ過される。ろ過された水は、浄水供給口６３から浄水受入口２９に流れ、浄水送水路３０を通過して浄水流出口１９から吐出される（図１０参照）。このとき、開口部８１からは表示リング５１に記された「浄水」の文字が見え、また、浄水送水路３０に流れる浄水により水車１２２が回転し、流量検出部１０２によって制御部１０４にパルス信号が送られ、そのパルス信号の周期が浄水の流量として積算される。
　そして、この浄水の積算流量に応じて、ろ過カートリッジの残存寿命が液晶表示器１０５のろ過カ−トリッジ交換表示素子１６１に表示される。すなわち、ろ過カ−トリッジ交換表示素子１６１は、図１６に示すように、ろ過カ−トリッジ使用開始時に枠１６７とブロックＡ、Ｂ、Ｃの全てが点灯しているが、浄水の積算流量に対応するパルスの積算カウント数が予め設定した第１の設定値に達したら、ブロックＡ１６４が消灯し、さらに第２の設定値に達したら、ブロックＢ１６５が消灯する。さらに、ろ過カ−トリッジを交換しなければならない積算流量に近づいたら（第３の設定値）、ブロックＣ１６６が消灯するとともに枠１６７が点滅し、ろ過カ−トリッジの交換を使用者に促す。使用者が、新しいろ過カ−トリッジに交換してリセットボタン１５４を押せば、積算カウント数がゼロに戻り、ろ過カ−トリッジ交換表示素子１６１も初期表示に戻る。
　また、液晶表示器１０５は、電池の電圧が予め設定した値以下に低下した時点で電池交換表示素子１６２を点滅し、使用者に電池の交換を促すようになっている。したがって、使用者は電池の使用開始時期と説明書等に記載されている電池寿命をわざわざ記憶しておく必要がない。そのため、電池寿命を忘れたために電池の交換ができずろ過カ−トリッジ使用中に積算流量のデ−タが消滅してしまうこともなく、適切な時期に電池交換が行える。使用者が新しい電池に交換すれば電池交換表示素子１６２は自動的に消灯するようになっている。なお、消費電力が使用状況に関わらずほぼ一定である場合は、浄水の積算流量や、浄水の通水時間の積算値や、浄水を通水していない時間の積算値などから、消灯から点灯に変わるタイミングを決めても差し支えない。なお、電池交換表示素子１６２は、電池使用開始時には消灯し、電池の寿命に近づいたときに点滅するというように構成しているが、前述のろ過カ−トリッジ交換表示と同様に段階的に表示してもよい。
　さらに、液晶表示器１０５は、カ−トリッジ種類表示素子１６３が前述したリセットボタン１５４による入力操作に基づいて、装着しているカートリッジの種類を点灯、消灯で表示する。たとえば、有機物の除去率が高いカ−トリッジ（以下、高除去カ−トリッジ）を装着した場合には点灯し、通常のカ−トリッジ（標準カートリッジ）を装着した場合には消灯する。ここで、カ−トリッジの寿命も異なる場合、前述したろ過カ−トリッジ交換表示に関する第１〜３の設定値は高除去カ−トリッジ用と標準カ−トリッジ用にされぞれ記録されていて、リセットボタン１５４による入力操作を行えば上記第１〜３の設定値が自動的に選択され、カ−トリッジの種類に合わせたカートリッジ残存寿命が表示される。したがって、使用者は、使用しているカートリッジの種類やろ過能力、使用開始時期をわざわざ記憶しておかなくても、適切な時期にろ過カ−トリッジを交換できる。
　そして、この液晶表示器１０５は、ろ過カートリッジ３を使用しない場合には消灯する。すなわち、回路基板１５１のＣＰＵが、浄水の通水が停止して流量検出部１０２からのパルス信号が停止した（磁気スイッチ１２４が開または閉の状態が一定時間以上続いた）ことを検知してスリ−プモ−ドに切り替わり、液晶表示器１０５を消灯する。この切り替えによって電池の電力消費が大幅に抑えられ、電池を長期間使用できる。なお、電池交換直後とリセットボタン操作直後には一定時間だけスリ−プモ−ドを解除し、液晶表示器１０５を点灯させる。これは、使用者が、正しく電池を装着できたことや、正しくデ−タをリセットできたことを確認するためである。
　本発明は以下のように変形実施することができる。
　（１）前述の実施態様において、ろ過カ−トリッジ交換表示素子１６１はブロックを段階的に消灯させる方式としたが、段階的に点灯させる方式でもよい。また、積算流量を数値で表示する方式でも、さらには減算式、加算式いずれでもよい。
　（２）前述の実施態様では表示部に液晶表示器１０５を用いたが、ブザ−やスピ−カ−を設けて発信音や音声を同時に発すれば、使用者はさらにわかりやすくなる。
　（３）前述の実施態様では、電池カバ−１１２を電池ホルダ１１５にバヨネット機構により装着する構成としたが、ネジ締結機構でも、スライド機構でもよい。
　（４）前述の実施態様では磁気スイッチ１２４を用いて流量を検出したが、減速歯車機構と電気的接点を用いる方法や、ダイヤフラムなど通水によって変形する部材と電気的接点を用いる方法などを採用してもよい。
　（５）前述の実施形態ではラチェット機構を用い、レバ−５の上下動で切換操作を行ったが、レバ−の停止位置に応じて切換状態が換わる方式でもよい。
　（６）前述の実施形態では弁体にボ−ルを用いた切換弁としたが、ゴムパッキンやＯリングを装着した回動軸で流路の開閉を行う切換弁でもよい。
　【発明の効果】
　本発明の蛇口直結型浄水器は、ろ過カ−トリッジの交換時期を表示する表示部と、表示を初期表示に戻す操作部とを備え、操作部は、回路基板を収納した基板ホルダ内に設けられたリセットボタンと、そのリセットボタンの表面を水密的に覆う
、周縁部が基板ホルダと他の部材とで挟持された
　また、複数種のろ過カートリッジを装着可能であり、装着したろ過カ−トリッジの種類を表示する表示部と、装着したろ過カ−トリッジの種類に対応して表示を所定の初期表示に切り換える操作部とを備え、操作部は、回路基板を収納した基板ホルダ内に設けられたリセットボタンと、そのリセットボタンの表面を水密的に覆う
、周縁部が基板ホルダと他の部材とで挟持された
　そして、操作部が浄水器の外表面に設けた一つの押釦を備えている場合には、簡単に操作できるうえに釦を押し間違えることがなく、確実に操作できる。さらに、表示部が浄水器の上部に設けられている場合や、表示部が液晶表示器である場合には、表示部が見やすく大変わかりやすい。
【図面の簡単な説明】
　【図１】
　本発明の一実施態様を示す浄水器の正面図である。
　【図２】
　図１に示す浄水器の上面図である。
　【図３】
　図１に示す浄水器の右側面図である。
　【図４】
　図２に示す浄水器のＡ−Ａ縦断面図である。
　【図５】
　図２に示す浄水器のＢ−Ｂ縦断面図である。
　【図６】
　図１に示す浄水器の横断面図である。
　【図７】
　ろ過カ−トリッジの横断面図である。
　【図８】
　図５に示す浄水器におけるレバ−と駆動軸との接続部のＣ−Ｃ矢視断面図である。
　【図９】
　図６に示す浄水器のＤ−Ｄ矢視断面図である。
　【図１０】
　図４に示す浄水器のＥ−Ｅ矢視断面図である。
　【図１１】
　電源部の分解斜視図である。
　【図１２】
　流量計測部の分解斜視図である。
　【図１３】
　図１２における水車と水車支持部材の断面図である。
　【図１４】
　図１２における磁気スイッチと磁気スイッチホルダの断面図である。
　【図１５】
　図６に示す浄水器における制御部のＦ−Ｆ矢視断面図である。
　【図１６】
　液晶表示器の概略図である。
　【符号の説明】
　１：浄水器　２：本体部
　３：ろ過カ−トリッジ　４：蛇口
　５：レバ−　１１ａ：ボール
　１１ｂ：ボール　１１ｃ：ボール
　１２：弁軸　１３：切換弁本体
　１４：原水シャワー口　１５：原水ストレート口
　１６：下部ボディ　１７：上部ボディ
　１８：弁操作部　１９：浄水流出口
　２１ａ：通水路　２１ｂ：通水路
　２１ｃ：通水路　２２：区画板
　２３：上部室　２４：下部室
　２５ａ：ｏリング　２５ｂ：ｏリング
　２５ｃ：ｏリング　２６：原水供給口
　２７ａ：カム部　２７ｂ：カム部
　２７ｃ：カム部　２８：原水流入口
　２９：浄水受入口　３０：浄水送水路
　３１ａ：流路　３１ｂ：流路
　３１ｃ：流路　３６：パッキン
　３７：アダプタ　３８：取付ナット
　３９：水流緩和部材　４１：駆動軸
　４３：操作ストッパー　４４：ねじりコイルばね
　４５：平歯車　４６：平歯車
　４７：ラチェット爪部材　４８：ラチェット歯
　５１：表示リング　６１：容器
　６１ａ：円筒状突起　６２：原水受入口
　６３：浄水供給口　６４：円筒体
　６５：ｏリング　６６：フィルタ
　６７：フィルタ　６８：中空糸膜束
　６９：硬化性樹脂　７０：吸着剤層
　７１：透明キャップ　７２：突起
　７３：ｏリング　７４：ｏリング
　８１：開口部　８２：透明部材
　９１：カ−トリッジキャップ　９２：開閉キャップ
　９３：開口部　１０１：電源部
　１０２：流量検出部
　１０４：制御部　１０５：液晶表示器
　１１１：電池　１１２：電池カバ−
　１１３：陽極金具　１１４：陰極金具
　１１５：電池ホルダ　１１６：電池装着部
　１１７：ｏリング　１１８：切り欠き
　１１９：凹部　１２０：ゴムキャップ
　１２１：磁石　１２２：水車
　１２３：水車支持部材　１２４：磁気スイッチ
　１２５：磁気スイッチホルダ　１２６：軸
　１３１：軸部　１３２：羽根
　１３３：羽根　１３４：回転軸穴
　１３５：磁石取付穴　１３６：硬化性樹脂
　１３７：硬化性樹脂
　１５１：回路基板　１５２：基板ホルダ
　１５３：基板枠　１５４：リセットボタン
　１５５：硬化性樹脂　１５６：スイッチゴム
　１６１：ろ過カ−トリッジ交換表示素子
　１６２：電池交換表示素子　１６３：カ−リッジ種類表示素子
　１６４：ブロックＡ　１６５：ブロックＢ
　１６６：ブロックＣ　１６７：枠